(57)【要約】      （修正有）【課題】ネジの頭部を覆い隠すキャップを固定する作業を簡易かつ迅速に行えるようにできるネジ用キャップを提供する。【解決手段】平らな面から頭部ｈが突出するように固定された磁性体からなるネジＢの頭部に固定するネジ用キャップＸであり、頭部が入る大きさの穴２０が形成された本体部１０と、穴の底に固定される磁石３０とから構成し、穴の開口縁を平らな面に当接させて穴に頭部を嵌めたときに、頭部と磁石との間に隙間ｄが形成されるように穴の深さを設定する。【選択図】図２
0003198647.tif 000002
【実用新案登録請求の範囲】
【請求項１】
平らな面から頭部が突出するように固定された磁性体からなるネジの当該頭部に固定するキャップであって、
前記頭部が入る大きさの穴が形成された本体部と、
前記穴の底に固定される磁石とを有する
ネジ用キャップ。
【請求項２】
前記穴の開口縁を前記平らな面に当接させて前記穴に前記頭部を嵌めたときに、前記頭部と前記磁石との間に隙間が形成されるように前記穴の深さが設定される
ネジ用キャップ。
【請求項３】
前記隙間は０．１ｍｍ〜５ｍｍの間である請求項２に記載のネジ用キャップ。
【請求項４】
前記本体部は非磁性体である請求項１から３のいずれか１項に記載のネジ用キャップ。
【請求項５】
前記磁石はネオジム磁石又はサマリウムコバルト磁石である請求項１から４のいずれか１項に記載のネジ用キャップ。
【請求項６】
前記穴は前記頭部が係合可能に嵌る内径を有する円柱状に形成される請求項１から５のいずれか１項に記載ネジ用キャップ。
【考案の詳細な説明】
【技術分野】
【０００１】
本考案は、主に展示パネルなどを壁面に固定するネジの頭部を装飾するためにネジ頭部に固定するキャップに関する。
【背景技術】
【０００２】
展示パネルなどを壁面に固定する際、通常はネジを用いてパネルの四隅を固定することが一般的である。この際、ネジの頭部が表出するためこれを隠すためにネジの頭部にキャップを嵌めることが多い。このようなキャップはゴムのような弾性体によって形成され、強い嵌め合いによって、ネジの頭部の外周に係合させたり、ネジ穴に係合させたりする構造を有する。
【考案の概要】
【考案が解決しようとする課題】
【０００３】
ところで、展示パネルが多くあるような場合、各ネジの頭部にキャップを強い嵌め合いによって固定していくと、作業労力や時間がかかってしまうという問題がある。
本考案は、このような問題に鑑みて、ネジの頭部を覆い隠すキャップを固定する作業を簡易かつ迅速に行えるようにできるネジ用キャップを提供することを課題とする。
【課題を解決するための手段】
【０００４】
上記課題を解決するために、本考案は、次のような構成を有する。
請求項１に記載の考案は、平らな面から頭部が突出するように固定された磁性体からなるネジの当該頭部に固定するキャップであって、前記頭部が入る大きさの穴が形成された本体部と、前記穴の底に固定される磁石とを有するネジ用キャップである。
請求項２に記載の考案は、前記ネジ用キャップにおいて、前記穴の開口縁を前記平らな面に当接させて前記穴に前記頭部を嵌めたときに、前記頭部と前記磁石との間に隙間が形成されるように前記穴の深さが設定されるものである。なお、ネジ頭部下に座金が固定される場合、座金表面に穴の開口縁が当接するように形成されるときは、座金表面が前記平らな面を構成し、穴の内径が座金の外径よりも大きく座金の底面が当接する面に穴の開口縁が当接するときは、当該座金の底面が当接する面が前記平らな面を構成する。
請求項３に記載の考案は、請求項２に記載のネジ用キャップにおいて、前記隙間は０．１ｍｍ〜５ｍｍの間に設定されるものである。
請求項４に記載の考案は、前記本体部を非磁性体としたものである。
請求項５に記載の考案は、前記ネジ用キャップにおいて、前記磁石はネオジム磁石又はサマリウムコバルト磁石としたものである。
請求項６に記載の考案は、前記ネジ用キャップにおいて、前記穴は前記頭部が係合可能に嵌る内径を有する円柱状に形成されるものである。
【考案の効果】
【０００５】
以上のような構成により、本考案は、次のような効果を奏する。
請求項１に記載の考案は、キャップとネジ頭部とが磁力によって互いに引き合うので、キャップをネジ頭部に強い嵌め合わせによって固定する必要がなくなり、ネジ頭部にキャップを被せるだけで固定できることから、キャップを嵌める作業をより簡易かつ迅速に行うことができる。
請求項２に記載の考案は、磁石とネジ頭部との間に隙間を設けることで、キャップの加工精度が低くても機能するので、製品としたときの製造コストを低減させることができる。
請求項３に記載の考案は、磁石とネジ頭部との隙間を０．１ｍｍ〜５ｍｍの範囲とすることでキャップが厚くなりすぎず磁力によってキャップを保持することができる。
請求項４に記載の考案は、本体部を非磁性体としてもキャップは磁石とネジ頭部との磁力によって固定されるので本体部をネジ頭部に固定することができる。
請求項５に記載の考案は、ネオジム磁石又はサマリウムコバルト磁石とすることで、強い磁力でキャップがネジ頭部に吸着するので、キャップの脱落を抑制することができる。
請求項６に記載の考案は、キャップの穴内周でネジ頭部の外周に嵌るようにすることで磁石による吸着と相まって、より強く安定した状態でキャップとネジ頭部とを結合することができる。
【図面の簡単な説明】
【０００６】
【図１】（ａ）は実施形態に係るネジ用キャップ及びパネルを固定したネジの分解斜視図であり、（ｂ）は実施形態に係るネジ用キャップをパネルを固定したネジの頭部に嵌めた状態を示す斜視図である。
【図２】図１（ｂ）の状態の縦断面図である。
【図３】（ａ）は変形例に係るネジ用キャップの分解斜視図であり、（ｂ）は変形例に係るネジ用キャップの縦断面図である。
【考案を実施するための形態】
【０００７】
以下、本考案の実施の形態について、図面を参照しながら説明する。
図１（ａ）に本実施形態に係るネジ用キャップＸとパネルＰを固定したネジＢの分解斜視図を示し、（ｂ）に（ａ）の状態からネジ用キャップＸをネジＢの頭部ｈに嵌めた状態の斜視図を示す。また、図２に図１（ｂ）の状態における縦断面図を示す。ネジ用キャップＸは、円柱状の本体部１０と、本体部１０の底面に形成された円柱状の穴２０と、穴２０の底中央に固定される磁石３０とから構成される。
本体部１０は合成樹脂による成型物である。もっとも、本体部１０は材質は問わず、金属、木製、セラミック等で形成することができる。
穴２０は、ネジＢの頭部ｈの外径にゆるく嵌る、頭部ｈの外径とほぼ同じ内径を有する穴であり、底面に磁石３０が嵌る円柱状の小さな穴からなる磁石固定穴２１が形成されている。穴２０の開口部にはネジＢに嵌められた座金Wsが嵌る座ぐり２０ａが形成されている。なお、座ぐり２０ａ部分は座金Wsを使用することを前提とした場合には、穴２０の一部を構成するものではない。穴２０の深さは磁石固定穴２１に磁石３０を嵌めたときに、穴２０の底面から磁石３０の表出している底面までの距離が、ネジＢの頭部ｈの高さより0.5ｍｍ〜１ｍｍ程度大きく設定される。即ち、ネジ頭部ｈと磁石３０の表出している底面との間に0.5ｍｍ〜１ｍｍ程度の隙間ｄが形成されることになる。
磁石３０は穴２０の底に形成された磁石穴２１に嵌る外径を有する円柱体であり、磁石固定穴２１の底面に接着剤により固定される。磁石３０はネオジム磁石により形成される。
【０００８】
次に、以上のような構成を有するの使用方法及び作用について説明する。使用者は、図１（ａ）に示すように平らな面、ここでは座金Wsの上面から突出しているネジＢの頭部ｈに、ネジ用キャップＸを、穴２０を挿入するようにして嵌め、図１（ｂ）、図２のような状態とする。なお、ネジＢは磁性体により形成されたものを使用する。磁石３０の表出する底面とネジＢの頭部ｈとの間には隙間ｄが形成されるので、穴２０の開口縁は浮き上がることなくネジＢの頭部ｈが突出する平面である座金Ws表面に接触するとともに、磁石３０とネジＢの頭部ｈとがネオジム磁石の強力な磁力で引き合うので、ネジ用キャップＸは安定した状態でネジＢの頭部ｈにかぶさった状態で固定される。さらに、穴２０の内径とネジＢの頭部ｈの外径とはほぼ同じなので、穴２０がネジＢの頭部ｈに対してずれることがなく、ネジ用キャップＸをより安定して固定することができる。
【０００９】
なお、ネジ用キャップは本体部の形状は任意に変更することができる。一例を図３（ａ）（ｂ）に示す。図３（ａ）は変形例に係るネジ用キャップＹの分解斜視図であり、図３（ｂ）は変形例に係るネジ用キャップＹの縦断面図である。ネジ用キャップＹの本体部１０Aは装飾部１１、ベース部１２から構成される。これらは合成樹脂製であるが、成型品でななく、板体をレーザーカッターで切り抜いて形成されている。装飾部１１は薄い板状体で、ここではハート型に形成され、表面にＵＶ印刷によるプリント１１ａが施されている。ベース部１２は対象となるネジの頭部の高さよりも十分に厚い板状体であり、装飾部１１に重なるようにハート型に形成されている。ベース部１２の中央には穴２０が形成されている。装飾部１１とベース部１２は接着剤で接着され、穴２０の底部に偏平な円柱状のネオジム磁石が接着固定される。ネジ用キャップＹはこのような構造によって、簡単に種々の形状のものを製造でき、表面も印刷によって任意のデザインとすることができる。
また、上記実施形態ではネジＢの頭部ｈは座金Wsの上に載っているが、座金Wsは必ずしも必須ではなく、座金Wsがない場合は、穴２０は座ぐり２０ａを含み、穴２０の開口縁は座ぐり２０ａの開口縁となる。もっとも、座金を使用しない場合や穴２０の内径が座金の外径より大きい場合は座ぐり自体設ける必要はない。
【符号の説明】
【００１０】
Ｘ、Ｙ  ネジ用キャップ
１０、１０Ａ  本体部
２０  穴
３０  磁石
【図１】
0003198647.tif 000003
【図２】
0003198647.tif 000004
【図３】
0003198647.tif 000005
【手続補正書】
【提出日】平成27年5月13日(2015.5.13)
【手続補正１】
【補正対象書類名】実用新案登録請求の範囲
【補正対象項目名】請求項２
【補正方法】変更
【補正の内容】
【請求項２】
前記穴の開口縁を前記平らな面に当接させて前記穴に前記頭部を嵌めたときに、前記頭部と前記磁石との間に隙間が形成されるように前記穴の深さが設定される
請求項１に記載のネジ用キャップ。